Podtech/llm-jp-corpus-v4-ja_patent huggingface dataset:
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
有機顔料（Ａ）と、下記一般式（１）で表されるエチレン性不飽和二重結合を１個有する単官能モノマー（Ｂ）と、下記一般式（２）で表される熱硬化性メラミン化合物[Ｃ１]またはその部分縮合物の混合物[Ｃ２]を含むメラミン化合物（Ｃ）と、インキ組成物全量を基準として１０重量％以下の有機溶剤（Ｄ）と、多官能モノマー（Ｅ）と、光重合開始剤（Ｆ）とを含有し、メラミン化合物（Ｃ）の含有量が、一般式（１）で表されるエチレン性不飽和二重結合を１個有する単官能モノマー（Ｂ）１００重量部に対し、０．１重量部以上１０重量部未満であることを特徴とするカラーフィルタ修正用インキ組成物。
一般式（１）：
【化１】
2012181390.tif 000001
［一般式（１）中、Ａ1は、−Ｈまたは−ＣＨ3であり、Ａ2は、炭素数２または３のアルキレン基であり、Ａ3は、−Ｈ、またはベンゼン環を含んでいてもよい炭素数１〜２０のアルキル基であり、ｎは、１〜４の整数である。］
一般式（２）：
【化２】
2012181390.tif 000002
［一般式（２）中、Ｄ1〜Ｄ6は、独立した置換基であり、−ＣＨ2ＯＣＨ3、または−ＣＨ2ＯＣ4Ｈ9である。］
【請求項２】
メラミン化合物（Ｃ）および多官能モノマー（Ｅ）の合計量が、インキ組成物全量を基準として、１５重量％以上であることを特徴とする請求項１に記載のカラーフィルタ修正用インキ組成物。
【請求項３】
請求項１または２に記載のカラーフィルタ修正用インキ組成物を用いて、カラーフィルタのフィルタセグメントの欠陥部分が修正されたカラーフィルタ。
【手続補正２】
【補正対象書類名】明細書
【補正対象項目名】００５１
【補正方法】変更
【補正の内容】
【００５１】
ここで、表１の有機顔料（Ａ）のＣ．Ｉ． Ｐｉｇｍｅｎｔナンバーは次の通りである。
チバ・ジャパン社製「ＣＲＯＭＯＰＨＴＡＬ ＲＥＤ Ａ２Ｂ」：Ｃ．Ｉ．Ｐｉｇｍｅｎｔ Ｒｅｄ １７７
ＢＡＳＦ社製「ＰＡＬＩＯＴＯＬ ＹＥＬＬＯＷ Ｄ１８１９」：Ｃ．Ｉ．Ｐｉｇｍｅｎｔ Ｙｅｌｌｏｗ １３９
ランクセス社製「Ｅ４ＧＮ」：Ｃ．Ｉ． Ｐｉｇｍｅｎｔ Ｙｅｌｌｏｗ １５０
東洋インキ製造社製「ＬＩＯＮＯＬ ＧＲＥＥＮ ６ＹＫ」：Ｃ．Ｉ． Ｐｉｇｍｅｎｔ Ｇｒｅｅｎ ３６
東洋インキ製造社製「ＬＩＯＮＯＬ ＢＬＵＥ ＥＳ」：Ｃ．Ｉ． Ｐｉｇｍｅｎｔ Ｂｌｕｅ １５：６
デグサ社製「Ｐｒｉｎｔｅｘ ７５」：Ｃ．Ｉ． Ｐｉｇｍｅｎｔ Ｂｌａｃｋ ７
表１の単官能モノマーは次の通りである。
大阪有機化学社製「ビスコート＃１９２」：一般式（１）で表されるモノマーで、Ａ１およびＡ３が−Ｈ、Ａ2が−Ｃ2Ｈ4、ｎが１である。
東亜合成社製「アロニックスＭ−１０１」：一般式（１）で表されるモノマーで、Ａ1およびＡ3が−Ｈ、Ａ2が−Ｃ2Ｈ4、ｎが２である。
新中村化学社製「ＮＫエステルＡＭＰ−６０Ｇ」：一般式（１）で表されるモノマーで、Ａ1およびＡ3が−Ｈ、Ａ2が−Ｃ2Ｈ4、ｎが６である。
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
インジェクターにて眼内に挿入される折り曲げ可能な眼内レンズの設計方法は、
球面度数及び乱視度数を与えることで光学部の形状を決定するステップと、
前記光学部の外縁に所定形状の支持部を形成するステップと、
前記光学部の形状を決定するステップにて付与された乱視度数により決定される乱視軸の方向に対して前記支持部を形成するステップによって形成される前記支持部の基端部が前記乱視軸の軸線上とならない位置となるように前記支持部の形成位置を決定するステップと、
を含むことを特徴とする眼内レンズの設計方法。
【請求項２】
請求項１の眼内レンズの設計方法において、
前記眼内レンズを前記インジェクターに設置する際に、前記光学部に付与された乱視度数により決定される乱視軸の方向を前記インジェクターの押出軸方向と略等しくなるように前記押出軸方向に対する前記光学部の設置角度を設定するステップと、
を含むことを特徴とする眼内レンズの設計方法。
【請求項３】
所定の乱視度数が付与された光学部と，該光学部から延びる湾曲形状の支持部とを有し、インジェクターにて眼内に挿入される折り曲げ可能な眼内レンズにおいて、
前記光学部から延びる支持部の基端部は、前記乱視度数に基づいて前記光学部に形成される乱視軸の軸線上とならない前記光学部のコバ位置に形成されることを特徴とする眼内レンズ。
【請求項４】
光学部と支持部とを有する変形可能な眼内レンズを眼内に挿入するための挿入部と、前記挿入部を先端に持つ筒部本体と、前記眼内レンズを載置する載置部と、前記載置部に載置された前記眼内レンズを前記挿入部へと押し出すための押出手段と、を有する眼内レンズ挿入器具において、
前記眼内レンズは所定の乱視度数を持つ光学部と，前記乱視度数に基づいて前記光学部に形成される乱視軸の軸線上とならない前記光学部のコバ位置から延びる湾曲形状の支持部が形成されたトーリック眼内レンズであり、
前記押出手段の押し出し方向と，前記トーリック眼内レンズの乱視軸の方向と，が略同方向となるように前記載置部に前記トーリック眼内レンズが予めセットされた状態で梱包されていることを特徴とする眼内レンズ挿入器具。
【請求項５】
光学部と支持部とを有する変形可能な眼内レンズを眼内に挿入するための挿入部と、前記挿入部を先端に持つ筒部本体と、前記眼内レンズを載置する載置部と、前記載置部に載置された前記眼内レンズを前記挿入部へと押し出すための押出手段と、を有する眼内レンズ挿入器具において、
前記眼内レンズは所定の乱視度数を持つトーリック眼内レンズであり、
前記押出手段の押し出し方向と，前記トーリック眼内レンズの乱視軸の方向と，が略同方向となるように前記載置部に前記トーリック眼内レンズが予めセットされた状態で梱包されていることを特徴とする眼内レンズ挿入器具。
【手続補正２】
【補正対象書類名】明細書
【補正対象項目名】発明の名称
【補正方法】変更
【補正の内容】
【発明の名称】眼内レンズの設計方法、眼内レンズ、及び眼内レンズ挿入器具
【手続補正３】
【補正対象書類名】明細書
【補正対象項目名】０００１
【補正方法】変更
【補正の内容】
【０００１】
本発明は、患者眼の水晶体の代替として用いられる眼内レンズであって、乱視度数が付与されたトーリック眼内レンズの設計方法、眼内レンズ、及び眼内レンズ挿入器具に関する
【手続補正４】
【補正対象書類名】明細書
【補正対象項目名】０００６
【補正方法】変更
【補正の内容】
【０００６】
本発明は、上記従来技術の問題点に鑑み、乱視度数が付与されたトーリック眼内レンズをインジェクターを用いて押し出す際に、より小さく眼内レンズを折り畳むことができ、好適に眼内に押し出すことのできるトーリック眼内レンズの設計方法、眼内レンズ、及び眼内レンズ挿入器具を提供することを技術課題とする。
【手続補正５】
【補正対象書類名】明細書
【補正対象項目名】０００８
【補正方法】変更
【補正の内容】
【０００８】
（１）  本発明における眼内レンズの設計方法は、球面度数及び乱視度数を与えることで光学部の形状を決定するステップと、前記光学部の外縁に所定形状の支持部を形成するステップと、前記光学部の形状を決定するステップにて付与された乱視度数により決定される乱視軸の方向に対して前記支持部を形成するステップによって形成される前記支持部の基端部が前記乱視軸の軸線上とならない位置となるように前記支持部の形成位置を決定するステップと、を含むことを特徴とする。
（２）  本発明における眼内レンズは、所定の乱視度数が付与された光学部と，該光学部から延びる湾曲形状の支持部とを有し、インジェクターにて眼内に挿入される折り曲げ可能な眼内レンズにおいて、前記光学部から延びる支持部の基端部は、前記乱視度数に基づいて前記光学部に形成される乱視軸の軸線上とならない前記光学部のコバ位置に形成されることを特徴とする。
（３）  本発明における眼内レンズ挿入器具は、光学部と支持部とを有する変形可能な眼内レンズを眼内に挿入するための挿入部と、前記挿入部を先端に持つ筒部本体と、前記眼内レンズを載置する載置部と、前記載置部に載置された前記眼内レンズを前記挿入部へと押し出すための押出手段と、を有する眼内レンズ挿入器具において、前記眼内レンズは所定の乱視度数を持つ光学部と，前記乱視度数に基づいて前記光学部に形成される乱視軸の軸線上とならない前記光学部のコバ位置から延びる湾曲形状の支持部が形成されたトーリック眼内レンズであり、前記押出手段の押し出し方向と，前記トーリック眼内レンズの乱視軸の方向と，が略同方向となるように前記載置部に前記トーリック眼内レンズが予めセットされた状態で梱包されていることを特徴とする。
（４）  本発明における眼内レンズ挿入器具は、光学部と支持部とを有する変形可能な眼内レンズを眼内に挿入するための挿入部と、前記挿入部を先端に持つ筒部本体と、前記眼内レンズを載置する載置部と、前記載置部に載置された前記眼内レンズを前記挿入部へと押し出すための押出手段と、を有する眼内レンズ挿入器具において、前記眼内レンズは所定の乱視度数を持つトーリック眼内レンズであり、前記押出手段の押し出し方向と，前記トーリック眼内レンズの乱視軸の方向と，が略同方向となるように前記載置部に前記トーリック眼内レンズが予めセットされた状態で梱包されていることを特徴とする。
【手続補正６】
【補正対象書類名】明細書
【補正対象項目名】０００９
【補正方法】変更
【補正の内容】
【０００９】
乱視度数が付与されたトーリック眼内レンズをインジェクターを用いて押し出す際に、より小さく眼内レンズを折り畳むことができ、好適に眼内に押し出すことのできるトーリック眼内レンズの設計方法、眼内レンズ、及び眼内レンズ挿入器具を提供できる。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選結果が所定結果である場合、所定入賞を成立させることができる操作方法を示唆する示唆演出を実行可能な示唆演出実行手段と、
第１所定停止出目が停止したことに基づいて、遊技者に有利な第１特定期間に移行させる第１特定期間移行手段と、
第２所定停止出目が停止したことに基づいて、前記第１特定期間よりも遊技者に有利な第２特定期間に移行させる第２特定期間移行手段と、
前記第１所定停止出目又は前記第２所定停止出目が停止した場合、前記示唆演出の実行回数を決定する実行回数決定手段と、
前記実行回数に関わる回数情報を記憶する回数情報記憶手段と、
前記各特定期間において前記示唆演出を実行する場合、前記回数情報記憶手段に記憶された回数情報を変更する第１変更手段と、
前記各特定期間において前記示唆演出を実行し、示唆した操作方法で前記停止操作手段が操作されなかったことに基づいて、前記回数情報記憶手段に記憶された回数情報を変更する第２変更手段と、
前記各特定期間において前記回数情報記憶手段に記憶された回数情報が予め定めた所定回数情報となった場合、対応する特定期間を終了させる終了手段と、
前記各特定期間において前記示唆演出を実行し、示唆した操作方法で前記停止操作手段が操作されなかったことに基づいて、前記回数情報記憶手段に記憶された回数情報に関わらず対応する特定期間を終了させる第２終了手段と、
前記第２終了手段が前記特定期間を終了させる場合、前記回数情報記憶手段に記憶された回数情報が前記所定回数情報であるか否かを判定する判定手段と、
前記判定手段が前記所定回数情報であると判定した場合、前記第１特定期間と前記第２特定期間の少なくとも一方に移行させることが困難な第１所定期間、又は前記第１所定期間に移行する可能性が高い第２所定期間に移行させる第１移行手段と、
前記判定手段が前記所定回数情報でないと判定した場合、前記第１所定期間よりも前記第１特定期間及び前記第２特定期間に移行させることが容易となる第３所定期間に移行させる第２移行手段と、
前記第２移行手段が前記第３所定期間に移行させる場合、遊技者に不利となる不利情報を記憶する不利情報記憶手段と
を備えたことを特徴とする遊技機。
【請求項２】
前記各特定期間における前記実行回数を増加させるか否かを前記第３所定期間に決定する増加決定手段を備え、前記増加決定手段は、前記不利情報記憶手段に前記不利情報が記憶されている場合、前記実行回数を増加させないと決定する、又は前記実行回数を増加させるか否かの決定を行わないことを特徴とする請求項１に記載の遊技機。
【請求項３】
前記各特定期間の終了後に特別特典を付与するか否かを前記各特定期間に決定する特典付与決定手段を備え、前記特典付与決定手段は、前記不利情報記憶手段に前記不利情報が記憶されている場合、前記特別特典を付与しないと決定する、又は前記特別特典を付与するか否かの決定を行わないことを特徴とする請求項１又は請求項２に記載の遊技機。
【請求項４】
前記役の抽選結果が前記所定結果である場合、前記停止操作手段に第１所定操作がなされれば前記所定入賞を成立させ、前記停止操作手段に第２所定操作がなされれば第２所定入賞を成立させ、前記停止操作手段に前記各所定操作以外の操作がなされれば前記所定入賞及び前記第２所定入賞が成立しないよう、前記循環表示手段を停止制御する停止制御手段を備え、前記示唆演出実行手段は、前記示唆演出によって前記第１所定操作を示唆し、前記第２変更手段は、前記所定入賞及び前記第２所定入賞が成立しなかった場合、前記回数情報記憶手段に記憶された回数情報を変更し、前記第２終了手段は、前記所定入賞及び前記第２所定入賞が成立しなかった場合、前記回数情報記憶手段に記憶された回数情報に関わらず対応する特定期間を終了させることを特徴とする請求項１乃至請求項３のいずれかに記載の遊技機。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
正面視で該遊技領域内の所定位置に配置され、通常位置と特別位置との間で移動可能な前装飾体と、前記前装飾体を移動させる前駆動機構と、を有する前ユニットと、
正面視で前記前ユニットの後方に配置され、所定形状に造形された後装飾体と、前記遊技領域内に遊技媒体が打ち込まれることで変化する遊技状態に応じて所定の演出を行う後演出ユニットと、を有する後ユニットと、
を備え、
前記後装飾体は、前記前装飾体が前記通常位置にある場合に、該前装飾体によって一部を遊技者側から視認不能にされ、
前記後演出ユニットは、前記前装飾体が前記通常位置にある場合には、該前装飾体によって遊技者側から視認不能にされ、かつ、前記前装飾体が前記特別位置にある場合には、少なくとも一部を遊技者側から視認不能にされる
ことを特徴とする遊技機。
【手続補正２】
【補正対象書類名】明細書
【補正対象項目名】０００６
【補正方法】変更
【補正の内容】
【０００６】
手段１：遊技機において、
「遊技者の操作によって遊技媒体が打ち込まれる遊技領域と、
正面視で該遊技領域内の所定位置に配置され、通常位置と特別位置との間で移動可能な前装飾体と、前記前装飾体を移動させる前駆動機構と、を有する前ユニットと、
正面視で前記前ユニットの後方に配置され、所定形状に造形された後装飾体と、前記遊技領域内に遊技媒体が打ち込まれることで変化する遊技状態に応じて所定の演出を行う後演出ユニットと、を有する後ユニットと、
を備え、
前記後装飾体は、前記前装飾体が前記通常位置にある場合に、該前装飾体によって一部を遊技者側から視認不能にされ、
前記後演出ユニットは、前記前装飾体が前記通常位置にある場合には、該前装飾体によって遊技者側から視認不能にされ、かつ、前記前装飾体が前記特別位置にある場合には、少なくとも一部を遊技者側から視認不能にされる」ものであることを特徴とする。
【手続補正３】
【補正対象書類名】明細書
【補正対象項目名】００１２
【補正方法】変更
【補正の内容】
【００１２】
手段１の構成によると、遊技機に、遊技者の操作によって遊技媒体が打ち込まれる遊技領域と、正面視で遊技領域内の所定位置に配置され、通常位置と特別位置との間で移動可能な前装飾体と、前装飾体を移動させる前駆動機構と、を有する前ユニットと、正面視で前ユニットの後方に配置され、所定形状に造形された後装飾体と、遊技領域内に遊技媒体が打ち込まれることで変化する遊技状態に応じて所定の演出を行う後演出ユニットと、を有する後ユニットと、を具備させるとともに、後装飾体が、前装飾体が通常位置にある場合に、前装飾体によって一部を遊技者側から視認不能にされ、後演出ユニットが、前装飾体が通常位置にある場合には、前装飾体によって遊技者側から視認不能にされ、かつ、前装飾体が特別位置にある場合には、少なくとも一部を遊技者側から視認不能にされるようにしたものである。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
該遊技領域の後端を区画する板状の遊技パネルと、
該遊技パネルの後側で且つ平面視で前記遊技領域の略中央の位置に遊技者側から視認可能に配置され、所定の演出画像を表示可能な演出表示手段と、
該演出表示手段よりも外側の位置で基端側が回動可能に支持され、先端側に立体的に形成された装飾部材を有し、該演出表示手段から異なる方向に夫々が配置された複数の装飾ユニットと、
前記遊技領域内へ遊技媒体が打ち込まれることで変化する遊技状態に応じて、前記複数の装飾ユニットの夫々における前記装飾部材が前記演出表示手段の前面側に位置するように前記複数の装飾ユニットを回動させる駆動ユニットと、を備え、
前記駆動ユニットによって前記複数の装飾ユニットが回動される場合に、該複数の装飾ユニットにおける夫々の前記装飾部材が、前記演出表示手段の前面側で、端部の面同士が互いに異なる方向を向きながら当接することによって１つの合体装飾ユニットを形成する
ことを特徴とする遊技機。
【手続補正２】
【補正対象書類名】明細書
【補正対象項目名】０００６
【補正方法】変更
【補正の内容】
【０００６】
手段１：遊技機において、
「遊技者の操作によって遊技媒体が打ち込まれる遊技領域と、
該遊技領域の後端を区画する板状の遊技パネルと、
該遊技パネルの後側で且つ正面視で前記遊技領域の略中央の位置に遊技者側から視認可能に配置され、所定の演出画像を表示可能な演出表示手段と、
該演出表示手段よりも外側の位置で基端側が回動可能に支持され、先端側に立体的に形成された装飾部材を有し、該演出表示手段から異なる方向に夫々が配置された複数の装飾ユニットと、
前記遊技領域内へ遊技媒体が打ち込まれることで変化する遊技状態に応じて、前記複数の装飾ユニットの夫々における前記装飾部材が前記演出表示手段の前面側に位置するように前記複数の装飾ユニットを回動させる駆動ユニットと、を備え、
前記駆動ユニットによって前記複数の装飾ユニットが回動される場合に、該複数の装飾ユニットにおける夫々の前記装飾部材が、前記演出表示手段の前面側で、端部の面同士が互いに異なる方向を向きながら当接することによって１つの合体装飾ユニットを形成する」ものであることを特徴とする。
【手続補正３】
【補正対象書類名】明細書
【補正対象項目名】００１２
【補正方法】変更
【補正の内容】
【００１２】
手段１の構成によると、遊技機に、遊技者の操作によって遊技媒体が打ち込まれる遊技領域と、遊技領域の後端を区画する板状の遊技パネルと、遊技パネルの後側で且つ正面視で遊技領域の略中央の位置に遊技者側から視認可能に配置され、所定の演出画像を表示可能な演出表示手段と、演出表示手段よりも外側の位置で基端側が回動可能に支持され、先端側に立体的に形成された装飾部材を有し、演出表示手段から異なる方向に夫々が配置された複数の装飾ユニットと、遊技領域内へ遊技媒体が打ち込まれることで変化する遊技状態に応じて、複数の装飾ユニットの夫々における装飾部材が演出表示手段の前面側に位置するように複数の装飾ユニットを回動させる駆動ユニットと、を具備させるとともに、駆動ユニットによって複数の装飾ユニットが回動される場合に、複数の装飾ユニットにおける夫々の装飾部材が、演出表示手段の前面側で、端部の面同士が互いに異なる方向を向きながら当接することによって１つの合体装飾ユニットを形成するようにしたものである。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
被施療者の身体を支持しつつ、内蔵された一又は複数の施療機構でマッサージ動作を実行するマッサージ機において、
被施療者の身体の一部を加熱する一又は複数の加熱手段を備え、
前記施療機構によるマッサージの前に、前記加熱手段で被施療者における前記マッサージの施療予定部位及び／又は当該予定部位に隣接する部位を温めることを
特徴とするマッサージ機。
【請求項２】
前記請求項１に記載のマッサージ機において、
前記加熱手段が、前記施療機構の被施療者への施療動作に係る可動範囲から外れた位置に配置され、施療機構とは非接触とされることを
特徴とするマッサージ機。
【請求項３】
前記請求項１又は２に記載のマッサージ機において、
被施療者の身体におけるマッサージの施療予定部位に重なり得る所定箇所で、前記加熱手段と接触して加熱手段から熱を伝えられる、良熱伝導性材料からなる伝熱体を備え、
前記加熱手段が、前記施療機構の可動範囲に沿った箇所に配置され、被施療者におけるマッサージ直前の施療予定部位に隣接する部位に熱を加えると共に、前記伝熱体も加熱して温度上昇させ、
温まった前記伝熱体が、前記マッサージ直前の施療予定部位に熱を伝えて温めることを
特徴とするマッサージ機。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
一方側が開口した形状の端面略Ｃ字状が長手方向に連続する型材の綴じ具本体であって、その綴じ具本体の該開口部を挿入口部とすると共に該挿入口部に挿入誘導部を形成し、該略Ｃ字状の綴じ具本体の内側奥端に粘着保持部を設けたことを特徴とするファイリング用粘着綴じ具。
【請求項２】
綴じ具本体の粘着保持部が、該略Ｃ字状の内側左右にも左右端粘着保持部を設けると共に該左右端粘着保持部のそれぞれに保護表紙を粘着保持させた請求項１記載のファイリング用粘着綴じ具。
【請求項３】
略Ｃ字状の綴じ具本体の該挿入口部が、開閉可能なように該綴じ具本体を若干変形可能な硬質のプラスチックで形成すると共に少なくとも略Ｃ字状の略中央底部近傍に弾性変形する軟質部材のヒンジ部を形成した請求項１又は２記載のファイリング用粘着綴じ具。
【請求項４】
略Ｃ字状の綴じ具本体のヒンジ部が、容易に開閉可能なように、該ヒンジ部左右端近傍の綴じ具本体の外側にそれぞれ突起部を形成した請求項２又は３記載のファイリング用粘着綴じ具。
【手続補正２】
【補正対象書類名】明細書
【補正対象項目名】００１９
【補正方法】変更
【補正の内容】
【００１９】  本発明は、上述したそれぞれの手段によって有効な効果が得られるようにしたもので、特に、第１の解決手段の一方側が開口した形状の端面略Ｃ字状が長手方向に連続する型材の綴じ具本体であって、その綴じ具本体の該開口部を挿入口部とすると共に該挿入口部に挿入誘導部を形成し、該略Ｃ字状の綴じ具本体の内側奥端に粘着保持部を設けたことによりその効果は、
従来の課題であった、コの字の保持幅の両端側に位置する書類が、保持できないものが発生することなく、また挿入誘導部から容易に書類を挿入口部に挿入できると共に該書類の端面で粘着保持する、簡易な綴じ具を提供することができる。
【手続補正３】
【補正対象書類名】明細書
【補正対象項目名】００２１
【補正方法】変更
【補正の内容】
【００２１】  また、第２の解決手段の綴じ具本体の粘着保持部が、該略Ｃ字状の内側左右にも左右端粘着保持部を設けると共に該左右端粘着保持部のそれぞれに保護表紙を粘着保持させたことによりその効果は、
左右端の表紙が、左右端粘着保持部の粘着で強固に面粘着されて保持され、該左右端の表紙に挟まれた書類は、その書類の端面で粘着保持することから容易に取付、取外しができ、保護表紙により穴を開けることなく保存用の資料にも、その綴じ具として使用できる。
【手続補正４】
【補正対象書類名】明細書
【補正対象項目名】００２３
【補正方法】変更
【補正の内容】
【００２３】  また、第３の解決手段の略Ｃ字状の綴じ具本体の該挿入口部が、開閉可能なように該綴じ具本体を若干変形可能な硬質のプラスチックで形成すると共に少なくとも略Ｃ字状の略中央底部近傍に弾性変形する軟質部材のヒンジ部を形成したことによりその効果は、
該略Ｃ字状の綴じ具本体が開閉可能となり、綴じる書類枚数が多くなると挿入口部を開脚させて書類を容易に挿入することができ、またその開脚する弾性力で書類を挟むように保持できるので上述で得られたように、容易に外れず、外す必要があるときは、開脚させて個々に容易に取り外すことができ、保存用にもその綴じ具として使用できる。
【手続補正５】
【補正対象書類名】明細書
【補正対象項目名】００２４
【補正方法】変更
【補正の内容】
【００２４】  また、第４の解決手段の略Ｃ字状の綴じ具本体のヒンジ部が、容易に開閉可能なように、該ヒンジ部左右端近傍の綴じ具本体の外側にそれぞれ突起部を形成したことによりその効果は、
上述、第３の解決手段と略同様の効果と、さらにつまみ用の突起部で、挿入口部の開脚を容易に開閉可能とすることができ、よってさらに多くの書類枚数の挿入にも容易に開閉可能となり、書類挿入が簡便にでき、またその逆の場合も容易となる。
よって本願発明は、実用上著大な効果を奏する。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
図１に示す方形枠は文字練習のための座標値を示すものでありこの文字練習に使用する文字枠は１０：１２の比率からなる縦伸び長方形が日本字の一般的な字形および字体の各部位構成からみて合理性が高いとする文字練習帳。
【請求項２】
図１に示す方形枠Ａ内の縦横中心線ａと上下枠線より各々１／３、左右枠線より各々１／３、補助線ｂ（破線）罫線を入れ、方形枠上下・左右３分割をなすと共に方形枠Ａ右側上下コーナーより左側方形枠線に向け１０度線ｃを表示し、縦横中心線、上下左右３分割補助線と１０度線の組合せを座標軸とする文字練習帳。
【請求項３】
前記請求項１〜２で示す座標軸線上で構成する空間に占める各々の字形の部位が占有する率とその形状を習得する事により、美しく正確な文字練習が出来る文字練習帳。
【請求項４】
前記請求項１〜２、並びに３を加え、練習帳用紙図２並びに図３に示すごとく左一列、上段一列等の任意の位置の座標軸に手本字を表示し、手本字の右側および下部に手本字のない座標軸のみを表示し、一例として示す図３ａ○印並びに図３ｂの点画１並びに横画２の止め位置を記入した手本字を見て練習することにより美しい字形の位置決めを習得できる文字練習帳。
【手続補正２】
【補正対象書類名】明細書
【補正対象項目名】００１３
【補正方法】変更
【補正の内容】
【００１３】尚、図１で示す文字枠内の座標は日本文字全体の練習帳を指しており、練習用紙の手本文字のレベルを選択することにより各層の実用書写練習の対応が可能である。
【手続補正書】
【提出日】平成25年8月13日(2013.8.13)
【手続補正１】
【補正対象書類名】明細書
【補正対象項目名】００３３
【補正方法】変更
【補正の内容】
【００３３】
〔上記一般式（ａ１−１）中、Ｒ１１及びＲ１２は、それぞれ独立に、水素原子、アルキル基、アルケニル基、アルキニル基、アリール基、又はヘテロ環基を表し、Ｒ１１とＲ１２は互いに連結し、環構造を形成してもよく、Ｌ１１は、連結基を表し、Ａ−は、アニオンを有する構造を表す。Ｙ１は、単結合、又は、−ＣＯ−、−Ｏ−、−ＮＨ−、二価の脂肪族基、二価の芳香族基及びそれらの組み合わせからなる群より選ばれる２価の連結基を表す。＊は高分子化合物の主鎖と連結する部位を表す。上記一般式（ａ１−２）中、Ｌ１２は連結基を表し、Ｅ＋は、カチオンを有する構造を表す。Ｙ１は、単結合、又は、−ＣＯ−、−Ｏ−、−ＮＨ−、二価の脂肪族基、二価の芳香族基及びそれらの組み合わせからなる群より選ばれる二価の連結基を表す。＊は高分子化合物の主鎖と連結する部位を表す。〕
【手続補正２】
【補正対象書類名】明細書
【補正対象項目名】０１０２
【補正方法】変更
【補正の内容】
【０１０２】
本発明の特定高分子化合物は画像記録層又は支持体と画像記録層の間に設けられる下塗り層に含有させて用いる。画像記録層に含有させる場合は、画像記録層全質量の０．１〜２０質量％が好ましく、０．２〜１０質量％がより好ましく、０．５〜５質量％が最も好ましい。下塗り層に用いる場合は、下塗り層全質量の１０〜１００質量％が好ましく、２０〜１００質量％がより好ましく、５０〜１００質量％が最も好ましい。
この含有量範囲内で、現像性、耐刷性、耐汚れ性、経時性に対する特定高分子化合物の効果が得られる。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
工作物を加工工具で加工する加工装置において、
前記加工工具の加工ヘッドは、ユニットホルダに固定されるとともに固定砥粒工具が配置され、加工面に垂直な方向の縦振動および加工面に平行な方向の横振動の同時発生によって２次元超音波微振動が発生可能であり、
前記工作物は、スピンドルに保持されるとともに、スピンドルの回転駆動によって自転運動が可能であることを特徴とする加工装置。
【請求項２】
前記加工ヘッドは、４極に分極された圧電素子と、前記圧電素子が貼り付けられた金属弾性体とを有し、
信号発生器からの２相の交流信号をそれぞれ増幅器で増幅した後に前記圧電素子に印加することによって、前記加工ヘッドに縦１次振動モードと屈曲４次振動モードが同時に励振され、両者の合成で前記加工ヘッドの端面に前記２次元超音波微振動が発生することを特徴とする請求項１記載の加工装置。
【請求項３】
前記工作物は、エッジ部に一定の傾斜角を有する円盤状工作物であり、
前記加工工具は、前記工作物のエッジ部に沿って加工を行うことを特徴とする請求項１または２記載の加工装置。
【請求項４】
加工ヘッドによって工作物を加工する加工工具において、
前記加工ヘッドには、固定砥粒工具が配置されるとともに、加工面に垂直な方向の縦振動および加工面に平行な方向の横振動の同時発生によって２次元超音波微振動が発生可能であり、
前記固定砥粒工具は、前記工作物材料と化学反応を示す砥粒、添加剤、および、前記砥粒を固めるための結合剤を含むことを特徴とする加工工具。
【手続補正２】
【補正対象書類名】明細書
【補正対象項目名】発明の名称
【補正方法】変更
【補正の内容】
【発明の名称】加工装置および加工工具
【手続補正３】
【補正対象書類名】明細書
【補正対象項目名】００１７
【補正方法】変更
【補正の内容】
【００１７】
図3に相対運動パターン1)fの実施形態を示す。固定砥粒工具2を貼り付けた複数の加工ヘッド1は、加工力測定装置11およびユニットホルダ10と23を介してロータリホルダ24端面上の半径Rの円周上に均等分布させ、ロータリホルダの回転軸25の自転運動26に伴いロータリホルダ軸周りの公転運動をする。工作物に対する加工ヘッドの相対運動は、これら加工ヘッドの公転運動以外に、工作物の自転6、研磨ヘッドの工作物加工面上の1次元（X方向かZ方向）か2次元（XとY方向同時）運動を加えて得られる。この方式は、大口径ウエハの高効率加工に適している。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
検査または測定を行うための検眼部を有し該検眼部を被検眼に対して所定の位置関係に位置合わせする眼科装置において、
前記検眼部を被検眼に対して相対移動する移動手段と、
被検眼の前眼部を正面から観察するための観察光学系と、
複数の固視標を持ち、被検眼の固視方向を誘導する固視光学系と、
観察光学系の光軸に対しそれぞれ傾斜して配置され、複数の斜め方向から被検眼の角膜に向けてアライメント指標をそれぞれ投影するアライメント指標投影光学系と、
被検眼の角膜上に形成された前記アライメント指標を受光して、その受光結果に基づいて被検眼に対する検眼部のアライメント状態を検出するアライメント検出手段と、
を備え、
前記アライメント検出手段は、前記複数の固視標から選択された固視標の位置に応じて、アライメント状態の検出に用いるアライメント指標を変更することを特徴とする眼科装置。
【請求項２】
請求項１の眼科装置において、
前記アライメント検出手段は、前記アライメント指標の高さから作動距離方向におけるアライメント状態を検出することを特徴とする眼科装置。
【請求項３】
請求項１〜２の眼科装置において、
前記アライメント検出手段は、選択された固視標の位置と略同じ方向から投影されたアライメント指標を用いて前記アライメント状態を検出することを特徴とする眼科装置。
【手続補正２】
【補正対象書類名】明細書
【補正対象項目名】００１０
【補正方法】変更
【補正の内容】
【００１０】
（１）
検査または測定を行うための検眼部を有し該検眼部を被検眼に対して所定の位置関係に位置合わせする眼科装置において、
前記検眼部を被検眼に対して相対移動する移動手段と、
被検眼の前眼部を正面から観察するための観察光学系と、
複数の固視標を持ち、被検眼の固視方向を誘導する固視光学系と、
観察光学系の光軸に対しそれぞれ傾斜して配置され、複数の斜め方向から被検眼の角膜に向けてアライメント指標をそれぞれ投影するアライメント指標投影光学系と、
被検眼の角膜上に形成された前記アライメント指標を受光して、その受光結果に基づいて被検眼に対する検眼部のアライメント状態を検出するアライメント検出手段と、
を備え、
前記アライメント検出手段は、前記複数の固視標から選択された固視標の位置に応じて、アライメント状態の検出に用いるアライメント指標を変更することを特徴とする。
（２）  （１）の眼科装置において、
前記アライメント検出手段は、前記アライメント指標の高さから作動距離方向におけるアライメント状態を検出することを特徴とする。
（３）  （１）〜（２）の眼科装置において、
前記アライメント検出手段は、選択された固視標の位置と略同じ方向から投影されたアライメント指標を用いて前記アライメント状態を検出することを特徴とする。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
所定遊技状態に移行させる所定遊技状態移行手段と、
遊技状態が前記所定遊技状態である場合、前記役の抽選と異なる判定に基づいて、０以外の所定値を取得する取得手段と、
前記取得手段が前記所定値を取得した場合、当該取得結果を所定値記憶手段に累積記憶させる累積記憶手段と、
第２所定値を記憶する第２所定値記憶手段と、
前記取得手段が前記所定値を取得したことに基づいて、前記第２所定値記憶手段の値を更新する更新手段と、
前記所定値記憶手段の値が初期値以外の値である場合、前記所定遊技状態の終了後に特別特典を付与する特別特典付与手段と、
前記特別特典付与手段が前記特別特典を付与する場合、前記所定値記憶手段の値を初期値に向かう値に変更する変更手段と、
前記特別特典付与手段が前記特別特典を付与する場合、前記第２所定値記憶手段の値を前記第２所定値記憶手段の初期値に向かう値に変更する第２変更手段と、
前記取得手段が前記所定値を取得した遊技回において報知演出を開始可能な報知演出開始手段と、
前記報知演出を実行している場合、前記第２所定値記憶手段の値が初期値に変更された遊技回において前記報知演出を終了させる報知演出終了手段と
を備え、
前記変更手段を、前記所定値記憶手段の値の変化量が第１値となるよう前記所定値記憶手段の値を変更する構成とするとともに、前記取得手段を、前記第１値と、前記第１値の２以上の自然数倍の第２値と、を含む複数の値から１の値を取得可能な構成とし、さらに、前記第２変更手段を、前記第２所定値記憶手段の値の変化量が第３値となるよう前記第２所定値記憶手段の値を変更する構成とするとともに、前記更新手段を、前記取得手段の取得結果に関わらず、前記第２所定値記憶手段の値の変化量が前記第３値となるよう前記第２所定値記憶手段の値を更新することを特徴とする遊技機。
【請求項２】
前記報知演出を実行している最中に前記取得手段が前記所定値を取得した場合、前記報知演出を、前記第２所定値記憶手段の値と対応する演出内容に変更する内容変更手段を備えたことを特徴とする請求項１に記載の遊技機。
【請求項３】
前記報知演出を実行している最中に前記第２変更手段が前記第２所定値記憶手段の値を変更し、前記第２所定値記憶手段の値が初期値とならなかった場合、前記報知演出を、前記第２変更手段が変更した後の前記第２所定値記憶手段の値と対応する演出内容に変更する第２内容変更手段を備えたことを特徴とする請求項２に記載の遊技機。
【請求項４】
前記役の抽選結果が特別役当選である場合、前記停止操作手段に特別操作がなされれば特別停止出目を停止させ、前記特別操作がなされなければ前記特別停止出目を停止させないよう前記循環表示手段を停止制御する特別停止制御手段と、前記役の抽選結果が前記特別役当選である場合、前記特別停止出目が停止したか否かに関わらず前記所定値記憶手段に特別値を累積記憶させる第２累積記憶手段と、を備えたことを特徴とする請求項１乃至請求項３のいずれかに記載の遊技機。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
所定遊技状態に移行させる所定遊技状態移行手段と、
遊技状態が前記所定遊技状態であることに基づいて、所定値を付与するか否かを決定する決定手段と、
前記決定手段が前記所定値を付与すると決定した場合、前記所定値を累積記憶可能な所定値記憶手段と、
前記決定手段が前記所定値を付与すると決定した場合、少なくとも決定情報が記憶されていない状況であれば当該決定情報を記憶する決定情報記憶手段と、
前記所定値記憶手段の値が初期値以外の値である場合、前記所定遊技状態の終了後に特別特典を付与する特別特典付与手段と、
前記特別特典付与手段が前記特別特典を付与する場合、前記所定値記憶手段の値を前記初期値に向かう値に変更する変更手段と、
前記特別特典付与手段が前記特別特典を付与する場合、前記決定情報を消去する消去手段と、
前記特別特典が付与されることを示唆する補助演出を実行可能な補助演出実行手段と、
前記所定遊技状態が終了する遊技回において前記決定情報記憶手段に前記決定情報が記憶されているか否かを判定する記憶判定手段と、
前記記憶判定手段の判定結果に基づいて、前記補助演出の演出内容を決定する演出内容決定手段と
を備えたことを特徴とする遊技機。
【請求項２】
前記演出内容決定手段は、前記所定遊技状態が終了した遊技回において前記決定情報記憶手段に前記決定情報が記憶されている場合に限り、第１補助演出を実行すると決定し得ることを特徴とする請求項１に記載の遊技機。
【請求項３】
前記演出内容決定手段は、前記所定遊技状態が終了した遊技回において前記決定情報記憶手段に前記決定情報が記憶されている場合、第１補助演出を実行すると決定し、前記所定遊技状態が終了した遊技回において前記決定情報記憶手段に前記決定情報が記憶されていない場合、第２補助演出を実行すると決定することを特徴とする請求項１又は請求項２に記載の遊技機。
【請求項４】
前記決定手段は、前記役の抽選とは異なる抽選によって前記所定値を付与するか否かを決定することを特徴とする請求項１乃至請求項３のいずれかに記載の遊技機。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選結果が所定結果である場合、所定入賞を成立させることができる前記停止操作手段の入賞操作方法として、複数の操作方法のうち所定数の操作方法を設定する操作方法設定手段と、
前記操作方法設定手段が前記入賞操作方法を設定した場合、前記入賞操作方法で前記停止操作手段が操作されれば前記所定入賞が成立し、前記入賞操作方法で前記停止操作手段が操作されなければ前記所定入賞が成立しないよう、前記絵柄の循環表示を停止させる循環停止手段と
を備え、
前記操作方法設定手段を、前記各操作方法のうち所定操作方法を前記入賞操作方法として設定する割合が、他の操作方法を前記入賞操作方法として設定する割合と異なる構成とし、
前記各操作方法が前記入賞操作方法として設定される割合を示唆する割合示唆演出を実行可能な割合示唆演出実行手段を設けたことを特徴とする遊技機。
【請求項２】
前記役の抽選に用いられるとともに前記所定結果が複数生じるよう設定された抽選情報を記憶する抽選情報記憶手段を備え、前記操作方法設定手段を、前記役の抽選結果が前記所定結果のいずれかとなった場合、前記役の抽選結果と対応する操作方法を前記入賞操作方法として設定する構成とし、前記抽選情報には、前記所定操作方法と対応する第１所定結果の当選確率が他の所定結果の当選確率と異なるよう、各所定結果の当選確率を設定したことを特徴とする請求項１に記載の遊技機。
【請求項３】
所定遊技状態に移行させる所定遊技状態移行手段と、前記所定遊技状態において前記役の抽選結果が前記所定結果となった場合、所定の終了条件が成立するまで前記入賞操作方法を示唆する入賞操作示唆手段と、前記所定遊技状態において前記役の抽選結果が前記所定結果となるとともに前記入賞操作方法で前記停止操作手段が操作されなかった場合、前記所定遊技状態を終了させる終了手段とを備えたことを特徴とする請求項１又は請求項２に記載の遊技機。
【請求項４】
前記割合示唆演出実行手段は、前記所定遊技状態において前記所定の終了条件が成立した後の遊技回において前記役の抽選結果が前記所定結果となった場合、前記割合示唆演出を実行することを特徴とする請求項３に記載の遊技機。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
Ｘ線源と、Ｘ線源に対向配置され被検体を透過する透過Ｘ線量を検出するＸ線検出器とが搭載された回転盤と、
前記回転盤の回転に同期したエンコーダ信号を生成するエンコーダ信号生成手段と、
前記エンコーダ信号または該エンコーダ信号に基づいて生成されるビュートリガ信号に同期して、前記Ｘ線検出器から各ビュー角度における前記透過Ｘ線量を収集し、被検体の透視画像を生成する画像処理手段と、を備えたＸ線ＣＴ装置であって、
直前までに入力されたエンコーダ信号から周期を算出し、次のエンコーダ信号の入力タイミングを予測する予測手段と、
前記予測手段により予測されたタイミングでダミー信号を発生し、当該ダミー信号を理想的な次のエンコーダ信号として適用する補正手段と、
を備えることを特徴とするＸ線ＣＴ装置。
【請求項２】
前記予測手段により予測されたタイミングより前に次のエンコーダ信号が入力された場合、或いは前記予測手段により予測されたタイミング後であって、所定の許容時間経過前に次のエンコーダ信号が入力された場合は、
前記補正手段は、入力された前記次のエンコーダ信号に代えて、前記ダミー信号を理想的な次のエンコーダ信号として適用し、
前記予測手段は、入力された前記次のエンコーダ信号を含めて周期を再算出し、更に次のエンコーダ信号の入力タイミングを予測することを特徴とする請求項１に記載のＸ線ＣＴ装置。
【請求項３】
前記予測手段により予測されたタイミング後、所定の許容時間が経過しても次のエンコーダ信号が入力されない場合は、
前記補正手段は、前記ダミー信号を理想的な次のエンコーダ信号として適用し、
前記予測手段は、前記ダミー信号を含めて周期を再算出し、更に次のエンコーダ信号の入力タイミングを予測することを特徴とする請求項１又は請求項２に記載のＸ線ＣＴ装置。
【請求項４】
前記予測手段は、前記周期を、所定数の連続する信号の時間間隔の平均値として算出することを特徴とする請求項１乃至請求項３のいずれかに記載のＸ線ＣＴ装置。
【請求項５】
前記予測手段は、前記次のエンコーダ信号の入力タイミングを、直前に入力された前記エンコーダ信号の時点、又は、前記補正手段により適用された前記エンコーダ信号の時点に、算出した前記周期を加えたものとすることを特徴とする請求項１乃至請求項４のいずれかに記載のＸ線ＣＴ装置。
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
液状媒体に機能材料が分散されている流体を噴射する噴射面を有する噴射ヘッドと、
前記噴射面を払拭するワイピング部と、
前記ワイピング部に前記噴射面の第一払拭動作を行わせると共に、前記第一払拭動作によって払拭された前記流体の前記液状媒体が、前記ワイピング部に付着した状態のまま、前記ワイピング部に前記噴射面の第二払拭動作を行わせる制御部と、
を備える流体噴射装置。
【請求項２】
前記制御部は、前記第一払拭動作と前記第二払拭動作とを続けて行わせる
請求項１に記載の流体噴射装置。
【請求項３】
前記噴射面を覆い、前記噴射面との間の空間を吸引して前記流体を排出させるキャッピング部を更に備え、
前記制御部は、前記噴射ヘッドのクリーニング動作として、前記キャッピング部による前記噴射面の吸引動作を行わせると共に、当該吸引動作後に前記第一払拭動作及び前記第二払拭動作を行わせる
請求項１又は請求項２に記載の流体噴射装置。
【請求項４】
前記制御部は、前記第二払拭動作の回数を設定し、当該設定結果に応じた回数分前記第二払拭動作を行わせる
請求項１から請求項３のうちいずれか一項に記載の流体噴射装置。
【請求項５】
前記制御部は、前記クリーニング動作の積算回数に基づいて設定される基準回数に応じて前記第二払拭動作の回数を算出する
請求項４に記載の流体噴射装置。
【請求項６】
前記噴射面を覆い、前記噴射面との間の空間を吸引して前記流体を排出させるキャッピング部を更に備え、
前記制御部は、前記噴射ヘッドのクリーニング動作として、前記キャッピング部による前記噴射面の吸引動作を行わせると共に、当該吸引動作後に前記第一払拭動作及び前記第二払拭動作を行わせ、
前記制御部は、前記クリーニング動作が直近に行われてからの経過時間に基づいて前記第二払拭動作の回数を算出する
請求項４に記載の流体噴射装置。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
装置本体の端部に沿って形成された搬送路と、
前記装置本体に設けられ且つ前記搬送路に沿ってシートを搬送する搬送手段と、
前記搬送路の一方側に配置され且つ前記搬送路を通過するシートに向かってノズルから液滴を噴射する液滴噴射ヘッドと、
前記液滴噴射ヘッドに対向する部分で且つ前記搬送路の他方側に配置されて前記液滴噴射ヘッドからの液滴を回収する液滴回収部材とを備え、
前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とを有することを特徴とする液滴噴射装置。
【請求項２】
シートが前記液滴噴射ヘッドに対向するタイミングでシートに向けて液滴噴射を行う印刷処理と、前記液滴取込口に対向する部分にシートが存在しないタイミングで前記液滴回収壁に向けて液滴を噴射する予備噴射処理とを実行可能であることを特徴とする請求項１記載の液滴噴射装置。
【請求項３】
前記搬送手段は、シートを略垂直に立てた起立姿勢で搬送し、
前記液滴回収壁は、垂直壁であることを特徴とする請求項１又は２記載の液滴噴射装置。
【請求項４】
前記液滴回収部材の底面と前記液滴回収壁の壁面とのなす角が鋭角であることを特徴とする請求項１から３のいずれか１項に記載の液滴噴射装置。
【請求項５】
前記液滴回収壁の壁面は、撥水処理が施された撥水面を含むことを特徴とする請求項１から４のいずれか１項に記載の液滴噴射装置。
【請求項６】
前記液滴取込口は、前記液滴噴射ヘッドのノズルが複数配列された領域を含む液滴噴射領域よりも大きく且つ前記液滴回収壁よりも小さい開口形状からなることを特徴とする請求項１から５のいずれか１項に記載の液滴噴射装置。
【請求項７】
前記液滴回収部材は、内部空間が前記液滴取込口から前記液滴回収壁に向かって拡開していることを特徴とする請求項１から６のいずれか１項に記載の液滴噴射装置。
【請求項８】
前記液滴回収部材の底部側には、前記液滴回収壁に当接するように液滴吸収体が配設されていることを特徴とする請求項１から７のいずれか１項に記載の液滴噴射装置。
【請求項９】
前記液滴噴射ヘッドは、前記液滴回収壁に沿って移動自在に設けられていることを特徴とする請求項１から８のいずれか１項に記載の液滴噴射装置。
【請求項１０】
装置本体の外周部に沿って当該装置本体の内側を取り囲むように形成された搬送路と、
前記装置本体に設けられ且つ前記搬送路に沿ってシートを搬送する搬送手段と、
前記搬送路の上流側で且つ当該搬送路の外側に設けられてシートの磁気情報を読み取る磁気ヘッドと、
前記搬送路の下流側に設けられてシートの画像を読み取る画像読取ヘッドと、
前記装置本体に設けられて前記搬送路に沿って搬送されるシートに向かって液滴を噴射する液滴噴射装置とを備え、
前記液滴噴射装置は、前記搬送路の内側に配置され且つ前記搬送路を通過するシートに向かってノズルから液滴を噴射する液滴噴射ヘッドと、前記液滴噴射ヘッドに対向する部分で且つ前記搬送路の他方側に配置されて前記液滴噴射ヘッドからの液滴を回収する液滴回収部材とを有し、
前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とが設けられていることを特徴とするシート情報読取装置。
【請求項１１】
前記液滴噴射装置は、前記搬送路に配置される前記磁気ヘッドよりも下流側に配置されて、前記磁気ヘッドで読み取った磁気情報の読取結果に基づいてシートに所定の情報を印刷する印刷装置であることを特徴とする請求項１０記載のシート情報読取装置。
【請求項１２】
前記液滴噴射装置は、シートが前記液滴噴射ヘッドに対向するタイミングでシートに向けて液滴噴射を行う印刷処理と、前記液滴取込口に対向する部分にシートが存在しないタイミングで前記液滴回収壁に向けて液滴を噴射する予備噴射処理とを実行可能であることを特徴とする請求項１０又は１１記載のシート情報読取装置。
【手続補正２】
【補正対象書類名】明細書
【補正対象項目名】発明の名称
【補正方法】変更
【補正の内容】
【発明の名称】液滴噴射装置及びシート情報読取装置
【手続補正３】
【補正対象書類名】明細書
【補正対象項目名】００１３
【補正方法】変更
【補正の内容】
【００１３】
上記目的を達成する本発明の液滴噴射装置は、装置本体の端部に沿って形成された搬送路と、前記装置本体に設けられ且つ前記搬送路に沿ってシートを搬送する搬送手段と、前記搬送路の一方側に配置され且つ前記搬送路を通過するシートに向かってノズルから液滴を噴射する液滴噴射ヘッドと、前記液滴噴射ヘッドに対向する部分で且つ前記搬送路の他方側に配置されて前記液滴噴射ヘッドからの液滴を回収する液滴回収部材とを備え、前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とを有することを特徴とする。また、本発明は、このような液滴噴射装置を備えたシート情報読取装置についても広く対象としている。